(57)【要約】【課題】省エネルギー化を図ることが可能な冷蔵倉庫を提供する。【解決手段】この冷蔵倉庫１００は、冷凍機３と、冷凍機３に接続され、倉庫本体１内に配置される複数のユニットクーラ４ａ〜４ｃと、冷凍機３と複数のユニットクーラ４ａ〜４ｃの各々との間に設けられる複数の電磁弁５ａ〜５ｃと、複数の電磁弁５ａ〜５ｃのオンオフを制御するコントローラ７とを備え、電磁弁５ａ〜５ｃをオンオフする温度設定値は、複数のユニットクーラ４ａ〜４ｃ毎に互いに異なるように設定されており、コントローラ７は、温度設定値に基づいて電磁弁５ａ〜５ｃをオンオフすることにより、複数の電磁弁５ａ〜５ｃのオンオフのタイミングが異なるように制御するように構成されている。【選択図】図１
2016090161.tif 000002
【特許請求の範囲】
【請求項１】
冷凍機と、
前記冷凍機に接続され、倉庫内に配置される複数のユニットクーラと、
前記冷凍機と前記複数のユニットクーラの各々との間に設けられる複数の制御弁と、
前記複数の制御弁のオンオフを制御する制御部とを備え、
前記制御弁をオンオフする温度設定値は、前記複数のユニットクーラ毎に互いに異なるように設定されており、
前記制御部は、前記温度設定値に基づいて前記制御弁をオンオフすることにより、前記複数の制御弁のオンオフのタイミングが異なるように制御するように構成されている、冷蔵倉庫。
【請求項２】
前記制御部は、前記温度設定値に基づいて前記制御弁をオンオフすることにより、前記倉庫内の温度が低下するにしたがって、運転状態の前記ユニットクーラの数が減少するように制御するように構成されている、請求項１に記載の冷蔵倉庫。
【請求項３】
前記制御部は、前記複数のユニットクーラ毎に互いに異なる前記制御弁の前記温度設定値を、前記複数の制御弁の間において所定の期間毎に入れ替えるように構成されている、請求項１または２に記載の冷蔵倉庫。
【請求項４】
前記冷蔵倉庫には、物品を搬入および搬出するための扉が設けられており、
前記制御弁の温度設定値は、前記扉に最も近い位置に配置される前記ユニットクーラに対する前記制御弁の前記温度設定値が、最も低く設定されるように構成されている、請求項１〜３のいずれか１項に記載の冷蔵倉庫。
【請求項５】
前記制御弁の前記温度設定値は、前記制御弁がオンする温度とオフする温度とが異なるように設定されており、かつ、前記複数の制御弁のオンする温度同士は互いに異なるとともに、前記複数の制御弁のオフする温度同士は互いに異なるように設定されている、請求項１〜４のいずれか１項に記載の冷蔵倉庫。
【請求項６】
冷凍機と、前記冷凍機に接続されるとともに倉庫内に配置される複数のユニットクーラの各々と、の間に設けられる複数の制御弁のオンオフを制御する制御部を備え、
前記制御弁をオンオフする温度設定値は、前記複数のユニットクーラ毎に互いに異なるように設定されており、
前記制御部は、前記温度設定値に基づいて前記制御弁をオンオフすることにより、前記複数の制御弁のオンオフのタイミングが異なるように制御するように構成されている、冷蔵制御装置。
【発明の詳細な説明】
【技術分野】
【０００１】
この発明は、冷蔵倉庫および冷蔵制御装置に関し、特に、複数の制御弁のオンオフを制御する制御部を備える冷蔵倉庫および冷蔵制御装置に関する。
【背景技術】
【０００２】
従来、複数の制御弁のオンオフを制御する制御部を備える冷蔵制御蔵置が知られている（たとえば、特許文献１参照）。上記特許文献１では、１台の冷凍機に３台のユニットクーラ（膨張弁、蒸発器）が接続されている。また、１台の冷凍機と３台のユニットクーラとの間には、それぞれ、電磁弁（合計３台）が設けられている。また、３台のユニットクーラは、それぞれ電磁弁がオンオフされる設定温度の異なる３つの冷却空間に配置されている。
【０００３】
そして、特許文献１の冷蔵制御蔵置では、３つの空間のうち、１つの空間の温度が設定温度以上になり、１台の電磁弁がオン状態にされる際、他の電磁弁も可能な限りオン状態にすることにより、オン状態にされる電磁弁の数を多くするように制御されている。すなわち、他の電磁弁がオンされる設定温度以下であっても、その空間の温度が予め定められた下限温度以下でなければ他の電磁弁もオン状態にするように構成されている。これにより、同時にオン状態にされる電磁弁（ユニットクーラ）の数を多くすることにより、冷凍機に設けられる圧縮機の電動機の効率が高い状態で、冷凍機を運転することが可能になる。
【先行技術文献】
【特許文献】
【０００４】
【特許文献１】特開２０００−２２０８９５号公報
【発明の概要】
【発明が解決しようとする課題】
【０００５】
しかしながら、上記特許文献１に記載された冷蔵制御蔵置では、１台の電磁弁がオン状態にされる際、他の電磁弁も可能な限りオン状態にするように構成されているため、全ての（または、複数の）ユニットクーラが運転状態にされる場合が多くなり、冷凍機の使用するエネルギーが増大するという問題点がある。さらに、全ての電磁弁がオフ状態の場合（すなわち、冷凍機がオフ状態の場合）から、全ての電磁弁または複数の電磁弁がオン状態にされる場合があるため、冷凍機の起動時の負荷が大きくなり、その分、冷凍機の使用するエネルギーが増大するという問題点がある。
【０００６】
この発明は、上記のような課題を解決するためになされたものであり、この発明の１つの目的は、省エネルギー化を図ることが可能な冷蔵倉庫および冷蔵制御装置を提供することである。
【課題を解決するための手段】
【０００７】
この発明の第１の局面による冷蔵倉庫は、冷凍機と、冷凍機に接続され、倉庫内に配置される複数のユニットクーラと、冷凍機と複数のユニットクーラの各々との間に設けられる複数の制御弁と、複数の制御弁のオンオフを制御する制御部とを備え、制御弁をオンオフする温度設定値は、複数のユニットクーラ毎に互いに異なるように設定されており、制御部は、温度設定値に基づいて制御弁をオンオフすることにより、複数の制御弁のオンオフのタイミングが異なるように制御するように構成されている。
【０００８】
この発明の第１の局面による冷蔵倉庫では、上記のように、制御弁をオンオフする温度設定値を、複数のユニットクーラ毎に互いに異なるように設定して、制御部を、温度設定値に基づいて制御弁をオンオフすることにより、複数の制御弁のオンオフのタイミングが異なるように制御するように構成する。これにより、同時に運転状態となるユニットクーラの数（複数のユニットクーラが運転している時間）を減少させることができるので、その分、省エネルギー化を図ることができる。また、冷凍機が停止した状態から複数のユニットクーラが運転状態にされるのが抑制されるので、冷凍機の起動時の負荷を低減することができる。これによっても、省エネルギー化を図ることができる。なお、本発明において、「制御弁をオンオフする温度設定値」とは、ある１つの温度でオンとオフとが切り替わる場合のみならず、オンする温度とオフする温度とが異なる場合も含む広い概念である。
【０００９】
上記第１の局面による冷蔵倉庫において、好ましくは、制御部は、温度設定値に基づいて制御弁をオンオフすることにより、倉庫内の温度が低下するにしたがって、運転状態のユニットクーラの数が減少するように制御するように構成されている。このように構成すれば、倉庫内の温度が目標温度近傍の温度の場合、比較的少数のユニットクーラのオンオフを繰り返すことにより目標温度近傍の温度を維持することができる。これにより、目標温度近傍において、省エネルギー化を図ることができる。
【００１０】
上記第１の局面による冷蔵倉庫において、好ましくは、制御部は、複数のユニットクーラ毎に互いに異なる制御弁の温度設定値を、複数の制御弁の間において所定の期間毎に入れ替えるように構成されている。このように構成すれば、各ユニットクーラの運転時間を略均一にすることができるので、倉庫内の温度の均一化を図ることができる。
【００１１】
上記第１の局面による冷蔵倉庫において、好ましくは、冷蔵倉庫には、物品を搬入および搬出するための扉が設けられており、制御弁の温度設定値は、扉に最も近い位置に配置されるユニットクーラに対する制御弁の温度設定値が、最も低く設定されるように構成されている。このように構成すれば、扉が開けられることに起因して比較的温度が高くなりやすい扉近傍のユニットクーラの運転時間が他のユニットクーラに比べて長くなる。これにより、扉が開けられた場合でも、扉近傍の温度が上昇するのを抑制することができる。
【００１２】
上記第１の局面による冷蔵倉庫において、好ましくは、制御弁の温度設定値は、制御弁がオンする温度とオフする温度とが異なるように設定されており、かつ、複数の制御弁のオンする温度同士は互いに異なるとともに、複数の制御弁のオフする温度同士は互いに異なるように設定されている。このように構成すれば、倉庫内の温度が低下するにしたがって、運転状態のユニットクーラの数が減少する。また、倉庫内の温度が上昇するにしたがって、運転状態のユニットクーラの数が増加する。これにより、倉庫内の温度が低下する場合、および、温度が上昇する場合の両方において、同時に運転状態となるユニットクーラの数を減少させることができる。その結果、省エネルギー化をより図ることができる。
【００１３】
この発明の第２の局面による冷蔵制御装置は、冷凍機と、冷凍機に接続されるとともに倉庫内に配置される複数のユニットクーラの各々と、の間に設けられる複数の制御弁のオンオフを制御する制御部を備え、制御弁をオンオフする温度設定値は、複数のユニットクーラ毎に互いに異なるように設定されており、制御部は、温度設定値に基づいて制御弁をオンオフすることにより、複数の制御弁のオンオフのタイミングが異なるように制御するように構成されている。
【００１４】
この発明の第２の局面による冷蔵制御装置では、上記のように、制御弁をオンオフする温度設定値を、複数のユニットクーラ毎に互いに異なるように設定して、制御部を、温度設定値に基づいて制御弁をオンオフすることにより、複数の制御弁のオンオフのタイミングが異なるように制御するように構成する。これにより、同時に運転状態となるユニットクーラの数（複数のユニットクーラが運転している時間）を減少させることができるので、その分、省エネルギー化を図ることが可能な冷蔵制御装置を提供することができる。また、冷凍機が停止した状態から複数のユニットクーラが運転状態にされるのが抑制されるので、冷凍機の起動時の負荷を低減することができる。これによっても、省エネルギー化を図ることが可能な冷蔵制御装置を提供することができる。
【発明の効果】
【００１５】
本発明によれば、上記のように、省エネルギー化を図ることが可能な冷蔵倉庫および冷蔵制御装置を提供することができる。
【図面の簡単な説明】
【００１６】
【図１】本発明の第１および第２実施形態による冷蔵倉庫のブロック図である。
【図２】本発明の第１実施形態による冷蔵倉庫の電磁弁のオンオフの制御を説明するための図である。
【図３】本発明の第２実施形態による冷蔵倉庫の電磁弁のオンオフの制御を説明するための図である。
【発明を実施するための形態】
【００１７】
以下、本発明を具体化した実施形態を図面に基づいて説明する。
【００１８】
（第１実施形態）
まず、図１を参照して、第１実施形態による冷蔵倉庫１００の構成について説明する。
【００１９】
図１に示すように、冷蔵倉庫１００は、倉庫本体１内が所定温度に維持されており、物品を保管することが可能に構成されている。また、冷蔵倉庫１００には、物品を搬入および搬出するための扉２が設けられている。なお、倉庫本体１は、本発明の「倉庫」の一例である。
【００２０】
冷蔵倉庫１００には、１台の冷凍機３が設けられている。冷凍機３は、冷蔵倉庫１００の外部に配置されている。
【００２１】
また、冷蔵倉庫１００には、冷凍機３に接続される３台のユニットクーラ４ａ〜４ｃが設けられている。ユニットクーラ４ａ〜４ｃは、倉庫本体１内の天井部分１ａ近傍に設けられている。また、ユニットクーラ４ａ〜４ｃは、互いに所定の間隔を隔てて配置されている。また、ユニットクーラ４ａ〜４ｃは、扉２に近い側から、ユニットクーラ４ｃ、ユニットクーラ４ｂ、ユニットクーラ４ａの順に配置されている。
【００２２】
また、冷蔵倉庫１００には、３台の電磁弁５ａ〜５ｃが設けられている。電磁弁５ａ〜５ｃは、冷凍機３とユニットクーラ４ａ〜４ｃの各々との間に設けられている。また、電磁弁５ａ〜５ｃは、冷凍機３からユニットクーラ４ａ〜４ｃへの冷媒の流れを制御するように構成されている。すなわち、電磁弁５ａ〜５ｃがオンされることにより、ユニットクーラ４ａ〜４ｃに冷媒が流れて、ユニットクーラ４ａ〜４ｃから冷気が倉庫本体１内に流出される。なお、電磁弁５ａ〜５ｃは、本発明の「制御弁」の一例である。
【００２３】
冷蔵倉庫１００の倉庫本体１内の目標温度は、１℃に設定されている。ここで、第１実施形態では、電磁弁５ａ〜５ｃをオンオフする温度設定値は、ユニットクーラ４ａ〜４ｃ毎に互いに異なるように設定されている。また、電磁弁５ａ〜５ｃの温度設定値は、電磁弁５ａ〜５ｃがオンする温度とオフする温度とが異なるように設定されている。また、電磁弁５ａ〜５ｃのオンする温度同士は互いに異なるように設定されている。また、電磁弁５ａ〜５ｃのオフする温度同士は互いに異なるように設定されている。以下、具体的に説明する。
【００２４】
電磁弁５ａは、オンする（オフ状態からオン状態に切り替わる）温度設定値が４℃に設定されているとともに、オフする（オン状態からオフ状態に切り替わる）温度設定値が３℃に設定されている。すなわち、電磁弁５ａがオンオフする温度差であるディファレンシャル温度は、１℃に設定されている。
【００２５】
また、電磁弁５ｂは、オンする温度設定値が３℃に設定されているとともに、オフする温度設定値が２℃に設定されている。すなわち、電磁弁５ｂのディファレンシャル温度も、１℃に設定されている。
【００２６】
また、電磁弁５ｃは、オンする温度設定値が２℃に設定されているとともに、オフする温度設定値が１℃に設定されている。すなわち、電磁弁５ｃのディファレンシャル温度も、１℃に設定されている。
【００２７】
すなわち、第１実施形態では、電磁弁５ａ〜５ｃの温度設定値は、倉庫本体１の扉２に最も近い位置に配置されるユニットクーラ４ｃに対する電磁弁５ｃの温度設定値が、最も低く設定されるように構成されている。また、ユニットクーラ４ａ〜４ｃに対する電磁弁５ａ〜５ｃの温度設定値は、ユニットクーラ４ａ〜４ｃの配置される位置が、扉２に近い順に低く設定されるように構成されている。
【００２８】
また、冷蔵倉庫１００には、温度センサ６が設けられている。温度センサ６は、倉庫本体１内に配置されており、倉庫本体１内の温度を測定するように構成されている。
【００２９】
また、冷蔵倉庫１００には、コントローラ７が設けられている。コントローラ７は、冷蔵倉庫１００全体の制御を行うように構成されている。また、コントローラ７は、温度センサ６に接続されており、温度センサ６から倉庫本体１内の温度情報が伝達されるように構成されている。そして、第１実施形態では、コントローラ７は、温度センサ６からの温度情報を用いて、ユニットクーラ４ａ〜４ｃ毎に互いに異なるように設定されている温度設定値に基づいて電磁弁５ａ〜５ｃをオンオフする。これにより、電磁弁５ａ〜５ｃのオンオフのタイミングが異なるように制御される。具体的には、コントローラ７は、制御用マイコン８に対して指示を送信し、制御用マイコン８により、電磁弁５ａ〜５ｃがオンオフされる。なお、温度設定値は、たとえば、記憶部（図示せず）に記憶されている。そして、コントローラ７は、記憶部から温度設定値を読み出して、温度センサ６からの温度情報と比較して、電磁弁５ａ〜５ｃをオンオフする指示を制御用マイコン８に送信するように構成されている。なお、コントローラ７および制御用マイコン８は、本発明の「制御部」（「冷蔵制御装置」）の一例である。
【００３０】
また、第１実施形態では、コントローラ７は、ユニットクーラ４ａ〜４ｃ毎に互いに異なる電磁弁５ａ〜５ｃの温度設定値を、電磁弁５ａ〜５ｃの間において所定の期間毎に入れ替えるように構成されている。たとえば、電磁弁５ａ〜５ｃの温度設定値を、所定の期間毎に、順繰りに入れ替える。すなわち、所定の期間経過後、電磁弁５ａ、５ｂ、５ｃのオフする温度設定値である３℃、２℃、１℃を、それぞれ、１℃、３℃、２℃に入れ替える。また、電磁弁５ａ、５ｂ、５ｃのオンする温度設定値である４℃、３℃、２℃を、それぞれ、２℃、４℃、３℃に入れ替える。さらに、所定の期間経過後、電磁弁５ａ、５ｂ、５ｃのオフする温度設定値を２℃、１℃、３℃に入れ替える。また、電磁弁５ａ、５ｂ、５ｃのオンする温度設定値を３℃、２℃、４℃に入れ替える。
【００３１】
次に、図２を参照して、冷蔵倉庫１００の電磁弁５ａ〜５ｃのオンオフの動作について説明する。なお、以下では、電磁弁５ａ〜５ｃの温度設定値が入れ替えられる前の状態について説明する。
【００３２】
まず、初期状態（時刻ｔ０）として、倉庫本体１内の温度は、１５℃であったとする。このとき、温度センサ６より測定される温度（１５℃）は、電磁弁５ａ〜５ｃがオンする温度設定値（４℃、３℃、２℃）よりも大きいので、電磁弁５ａ〜５ｃの全てがオン状態にされる。これにより、倉庫本体１内の温度は、徐々に低下する。
【００３３】
次に、時刻ｔ１において、倉庫本体１内の温度が３℃になったとする。この時、温度センサ６より測定される温度（３℃）が、電磁弁５ａをオフする温度設定値（３℃）と等しくなり、電磁弁５ａがオフされる。一方、温度センサ６より測定される温度（３℃）は、電磁弁５ｂをオフする温度設定値（２℃）、電磁弁５ｃをオフする温度設定値（１℃）には達していないので、電磁弁５ｂおよび電磁弁５ｃは、オン状態のままである。これにより、倉庫本体１内の温度は、３℃からさらに低下する。
【００３４】
次に、時刻ｔ２において、倉庫本体１内の温度が２℃になったとする。この時、温度センサ６より測定される温度（２℃）が、電磁弁５ｂをオフする温度設定値（２℃）と等しくなり、電磁弁５ｂがオフされる。一方、温度センサ６より測定される温度（２℃）は、電磁弁５ｃをオフする温度設定値（１℃）には達していないので、電磁弁５ｃは、オン状態のままである。これにより、倉庫本体１内の温度は、２℃からさらに低下する。
【００３５】
次に、時刻ｔ３において、倉庫本体１内の温度が目標温度である１℃になったとする。この時、温度センサ６より測定される温度（１℃）が、電磁弁５ｃをオフする温度設定値（１℃）と等しくなり、電磁弁５ｃがオフされる。これにより、全ての電磁弁５ａ〜５ｃがオフされる。
【００３６】
このように、第１実施形態では、コントローラ７により、温度設定値に基づいて電磁弁５ａ〜５ｃがオンオフされることにより、倉庫本体１内の温度が低下するにしたがって、運転状態のユニットクーラの数が減少する。すなわち、運転状態のユニットクーラの数が、３台、２台、１台、０台に変化する。また、時刻ｔ３の後、倉庫本体１内の温度は、１℃から徐々に上昇する。
【００３７】
次に、時刻ｔ４において、倉庫本体１内の温度が２℃になったとする。この時、温度センサ６より測定される温度（２℃）が、電磁弁５ｃをオンする温度設定値（２℃）と等しくなり、電磁弁５ｃがオンされる。これにより、倉庫本体１内の温度は、２℃から徐々に低下する。その後、時刻ｔ５、ｔ６およびｔ７では、電磁弁５ｃのオフとオンとが繰り返される。すなわち、目標温度である１℃近傍では、１台のユニットクーラ４ｃのみによって、倉庫本体１内の温度が調整される。このとき、冷凍機３もオンオフを繰り返す一方、運転状態にされるユニットクーラの数が１台であるので、冷凍機３の起動時の負荷は、比較的小さい。
【００３８】
次に、時刻ｔ７の後の時点において、扉２が開けられたとする。これより、外気が倉庫本体１内に侵入して、倉庫本体１内の温度が上昇する。そして、時刻ｔ８において、倉庫本体１内の温度が２℃になったとする。この時、温度センサ６より測定される温度（２℃）が、電磁弁５ｃをオンする温度設定値（２℃）と等しくなり、電磁弁５ｃがオンされる。その後、時刻ｔ９において、倉庫本体１内の温度が３℃になったとする。この時、温度センサ６より測定される温度（３℃）が、電磁弁５ｂをオンする温度設定値（３℃）と等しくなり、電磁弁５ｂがオンされる。さらに、時刻ｔ１０において、倉庫本体１内の温度が４℃になったとする。この時、温度センサ６より測定される温度（４℃）が、電磁弁５ａをオンする温度設定値（４℃）と等しくなり、電磁弁５ａがオンされる。その結果、図示しないが、時刻ｔ１０以降において、倉庫本体１内の温度が低下し始める。
【００３９】
このように、冷蔵倉庫１００の倉庫本体１内の温度が上昇するにしたがって、運転状態のユニットクーラの数が増加する。すなわち、運転状態のユニットクーラの数が、０台、１台、２台、３台に変化する。
【００４０】
第１実施形態では、以下のような効果を得ることができる。
【００４１】
第１実施形態では、上記のように、電磁弁５ａ〜５ｃをオンオフする温度設定値を、複数のユニットクーラ４ａ〜４ｃ毎に互いに異なるように設定して、コントローラ７を、温度設定値に基づいて電磁弁５ａ〜５ｃをオンオフすることにより、複数の電磁弁５ａ〜５ｃのオンオフのタイミングが異なるように制御するように構成する。これにより、同時に運転状態となるユニットクーラ４ａ〜４ｃの数（複数のユニットクーラ４ａ〜４ｃが運転している時間）を減少させることができるので、その分、省エネルギー化を図ることができる。また、冷凍機３が停止した状態から複数のユニットクーラ４ａ〜４ｃが運転状態にされるのが抑制されるので、冷凍機３の起動時の負荷を低減することができる。これによっても、省エネルギー化を図ることができる。
【００４２】
また、第１実施形態では、上記のように、温度設定値に基づいて電磁弁５ａ〜５ｃをオンオフすることにより、倉庫本体１内の温度が低下するにしたがって、運転状態のユニットクーラ４ａ〜４ｃの数が減少するように制御するようにコントローラ７を構成する。これにより、倉庫本体１内の温度が目標温度近傍の温度の場合、１台のユニットクーラ４ｃのオンオフを繰り返すことにより目標温度近傍の温度を維持することができる。その結果、目標温度近傍において、省エネルギー化を図ることができる。
【００４３】
また、第１実施形態では、上記のように、ユニットクーラ４ａ〜４ｃ毎に互いに異なる電磁弁５ａ〜５ｃの温度設定値を、電磁弁５ａ〜５ｃの間において所定の期間毎に入れ替えるようにコントローラ７を構成する。これにより、各ユニットクーラ４ａ〜４ｃの運転時間を略均一にすることができるので、倉庫本体１内の温度の均一化を図ることができる。
【００４４】
また、第１実施形態では、上記のように、倉庫本体１には、物品を搬入および搬出するための扉２が設けられており、電磁弁５ａ〜５ｃの温度設定値を、倉庫本体１の扉２に最も近い位置に配置されるユニットクーラ４ｃに対する電磁弁５ｃの温度設定値が、最も低く設定されるように構成する。これにより、扉２が開けられることに起因して比較的温度が高くなりやすい扉２近傍のユニットクーラ４ｃの運転時間が他のユニットクーラ４ａおよび４ｂに比べて長くなる。これにより、扉２が開けられた場合でも、扉２近傍の温度が上昇するのを抑制することができる。
【００４５】
また、第１実施形態では、上記のように、電磁弁５ａ〜５ｃの温度設定値を、電磁弁５ａ〜５ｃがオンする温度とオフする温度とが異なるように設定し、かつ、複数の電磁弁５ａ〜５ｃのオンする温度同士を互いに異ならせるとともに、複数の電磁弁５ａ〜５ｃのオフする温度同士を互いに異ならせるように設定する。これにより、倉庫本体１内の温度が低下するにしたがって、運転状態のユニットクーラ４ａ〜４ｃの数が減少する。また、倉庫本体１内の温度が上昇するにしたがって、運転状態のユニットクーラ４ａ〜４ｃの数が増加する。これにより、倉庫本体１内の温度が低下する場合、および、温度が上昇する場合の両方において、同時に運転状態となるユニットクーラ４ａ〜４ｃの数を減少させることができる。その結果、省エネルギー化をより図ることができる。
【００４６】
（第２実施形態）
次に、図１を参照して、第２実施形態の冷蔵倉庫１１０について説明する。第２実施形態では、電磁弁１５ａ〜１５ｃの温度設定値が、上記第１実施形態に比べて１℃低く設定されている。なお、電磁弁１５ａ〜１５ｃは、本発明の「制御弁」の一例である。
【００４７】
第２実施形態では、電磁弁１５ａは、オンする温度設定値が３℃に設定されているとともに、オフする温度設定値が２℃に設定されている。また、電磁弁１５ｂは、オンする温度設定値が２℃に設定されているとともに、オフする温度設定値が１℃に設定されている。また、電磁弁１５ｃは、オンする温度設定値が１℃に設定されているとともに、オフする温度設定値が０℃に設定されている。なお、第２実施形態のその他の構成は、上記第１実施形態と同様である。
【００４８】
次に、図３を参照して、冷蔵倉庫１１０の電磁弁１５ａ〜１５ｃのオンオフの動作について説明する。なお、倉庫本体１内の目標温度は、１℃に設定されている。また、電磁弁１５ａ〜１５ｃのオンオフの動作は、コントローラ１７（図１参照）により行われる。なお、コントローラ１７は、本発明の「制御部」および「冷蔵制御装置」の一例である。
【００４９】
まず、初期状態（時刻ｔ２０）として、倉庫本体１内の温度は、１５℃であったとする。このとき、温度センサ６より測定される温度（１５℃）は、電磁弁１５ａ〜１５ｃがオンする温度設定値（３℃、２℃、１℃）よりも大きいので、電磁弁１５ａ〜１５ｃの全てがオン状態にされる。これにより、倉庫本体１内の温度は、徐々に低下する。
【００５０】
次に、時刻ｔ２１において、倉庫本体１内の温度が２℃になったとする。これにより、電磁弁１５ａがオフされる。一方、電磁弁１５ｂおよび電磁弁１５ｃは、オン状態のままである。これにより、倉庫本体１内の温度は、２℃からさらに低下する。
【００５１】
次に、時刻ｔ２２において、倉庫本体１内の温度が目標温度である１℃になったとする。これにより、電磁弁１５ｃは、オン状態のままである一方、電磁弁１５ｂがオフされる。その結果、倉庫本体１内の温度は、上昇する。
【００５２】
次に、時刻ｔ２３において、倉庫本体１内の温度が２℃になったとする。これにより、電磁弁１５ｂがオンされる。その結果、倉庫本体１内の温度は、低下する。その後、時刻ｔ２４、ｔ２５およびｔ２６において、電磁弁１５ｂのオフとオンとが繰り返される。このように、第２実施形態では、電磁弁１５ｃは、常に、オン状態のままである。その結果、冷凍機３は運転状態のままであり、冷凍機３の起動時に要する負荷を回避することが可能になる。
【００５３】
次に、時刻ｔ２６の後の時点において、扉２が開けられたとする。これより、外気が倉庫本体１内に侵入して、倉庫本体１内の温度が上昇する。そして、時刻ｔ２７において、電磁弁１５ｂがオンされる。また、時刻ｔ２８において、電磁弁１５ａがオンされる。その結果、図示しないが、時刻ｔ２８以降において、倉庫本体１内の温度が低下し始める。
【００５４】
第２実施形態では、以下のような効果を得ることができる。
【００５５】
第２実施形態では、上記のように、冷凍機３は運転状態のままであり、冷凍機３の起動時に要する負荷を回避することができるので、省エネルギー化をより図ることができる。
【００５６】
なお、第２実施形態のその他の効果は、上記第１実施形態と同様である。
【００５７】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００５８】
たとえば、上記第１および第２実施形態では、倉庫本体内に３台のユニットクーラが設けられる例を示したが、本発明はこれに限られない。本発明では、倉庫本体内に複数のユニットクーラが設けられていればよい。
【００５９】
また、上記第１および第２実施形態では、電磁弁をオンオフすることにより、ユニットクーラの運転状態を制御する例を示したが、本発明はこれに限られない。本発明では、電磁弁のオンオフ以外の方法により、ユニットクーラの運転状態を制御してもよい。
【００６０】
また、上記第１および第２実施形態では、３台の電磁弁の温度設定値が全て異なる例を示したが、本発明はこれに限られない。たとえば、複数の電磁弁のうち、少なくとも１台の電磁弁の温度設定値が、他の電磁弁の温度設定値と異なっていればよい。
【００６１】
また、上記第１および第２実施形態では、電磁弁の温度設定値を、３台の電磁弁の間において所定の期間毎に入れ替えるように構成されている例を示したが、本発明はこれに限られない。たとえば、倉庫本体が比較的小さく、倉庫本体内において温度が不均一になりにくい場合には、電磁弁の温度設定値を入れ替えなくてもよい。
【００６２】
また、上記第１および第２実施形態では、電磁弁がオンする温度とオフする温度との差（ディファレンシャル温度）が１℃である例を示したが、本発明はこれに限られない。本発明では、ディファレンシャル温度を１℃以外の温度にしてもよい。
【００６３】
また、上記第１および第２実施形態では、電磁弁がオンする温度とオフする温度との差（ディファレンシャル温度）が設けられる例を示したが、本発明はこれに限られない。本発明では、ディファレンシャル温度を設けなくてもよい。
【００６４】
また、上記第１および第２実施形態では、電磁弁の温度設定値を、所定の期間毎に、順繰りに入れ替える例を示したが、本発明はこれに限られない。たとえば、扉に最も近い位置に配置されるユニットクーラと、最も遠い位置に配置されるユニットクーラとの温度設定値を所定の期間毎に入れ替えるとともに、中央近傍に配置されているユニットクーラの温度設定値を入れ替えないようにしてもよい。
【００６５】
また、上記第１実施形態では、目標温度近傍では、１台のユニットクーラのオンオフのみによって倉庫本体内の温度を調整し、第２実施形態では、常に運転状態にされる１台のユニットクーラとオンオフされる１台のユニットクーラとの合計２台によって倉庫本体内の温度を調整する例を示した。本発明では、目標温度近傍において運転させるユニットクーラの台数は、倉庫本体の大きさおよびユニットクーラの能力に基づいて調整される。
【符号の説明】
【００６６】
１  倉庫本体（倉庫）
２  扉
３  冷凍機
４ａ、４ｂ、４ｃ  ユニットクーラ
５ａ、５ｂ、５ｃ、１５ａ、１５ｂ、１５ｃ  電磁弁（制御弁）
７、１７  コントローラ（制御部、冷蔵制御装置）
８  制御用マイコン（制御部、冷蔵制御装置）
１００、１１０  冷蔵倉庫
【図１】
2016090161.tif 000003
【図２】
2016090161.tif 000004
【図３】
2016090161.tif 000005